(57)【要約】  【構成】  ＣＭＯＳイメージセンサ１４の撮像面には、垂直方向および水平方向に広がる複数の受光素子が配列される。初期状態では、ＴＧ１６は、撮像面１４ｉを既定数の垂直列ずつ水平方向に走査する。撮像面で生成された電荷は、かかる走査によってＣＭＯＳイメージセンサ１４から読み出される。被写界像は、ＣＭＯＳイメージセンサ１４から出力された電荷に基づいて、信号処理回路１８および切り出し回路２４によって作成される。作成された被写界像の水平方向における倍率は、パンニング動作が行われたとき、水平ズーム回路２６ａによって変更される。  【効果】  パンニング動作の途中で撮影された被写界像の歪みが抑制される。【選択図】  図１
2007020045.tif 000002
【特許請求の範囲】
【請求項１】
垂直方向および水平方向に広がる複数の受光素子が配列された撮像面を有する撮像手段、
前記複数の受光素子によって生成された電荷を読み出すべく前記撮像面を既定数の垂直列ずつ水平方向に走査する第１走査手段、
前記撮像手段から出力された電荷に基づいて被写界像を作成する作成手段、および
パンニング動作が行われたとき前記作成手段によって作成された被写界像の水平方向における倍率を変更する第１変更手段を備える、電子カメラ。
【請求項２】
前記作成手段によって作成される被写界像は前記撮像面によって捉えられた被写界の一部に対応する画像であり、
前記作成手段によって作成される被写界像の水平サイズを前記第１変更手段によって変更された倍率に対応するサイズに設定する設定手段をさらに備える、請求項１記載の電子カメラ。
【請求項３】
前記設定手段によって設定されるサイズは前記第１変更手段によって変更された倍率が大きいほど小さい、請求項２記載の電子カメラ。
【請求項４】
前記パンニング動作の速度を検出する第１検出手段、および
前記第１変更手段によって変更される倍率を前記第１検出手段によって検出された速度に基づいて算出する第１算出手段をさらに備える、請求項１ないし３のいずれかに記載の電子カメラ。
【請求項５】
前記第１走査手段は右および左の一方から他方へ向かう第１特定方向に走査し、
前記第１変更手段は、前記パンニング動作の方向が前記第１特定方向と一致するとき前記倍率を拡大し、前記パンニング動作の方向が前記第１特定方向と相違するとき前記倍率を縮小する、請求項１ないし４のいずれかに記載の電子カメラ。
【請求項６】
前記撮像面を既定数の水平行ずつ垂直方向に走査する第２走査手段、
チルティング動作が行われたとき前記第１走査手段に代えて前記第２走査手段を起動する起動手段、および
前記第２走査手段の走査処理に関連して前記作成手段によって作成される被写界像の垂直方向における倍率を変更する第２変更手段をさらに備える、請求項１ないし５のいずれかに記載の電子カメラ。
【請求項７】
前記チルティング動作の速度を検出する第２検出手段、および
前記第２変更手段によって変更される倍率を前記第２検出手段によって検出された速度に基づいて算出する第２算出手段をさらに備える、請求項６記載の電子カメラ。
【請求項８】
前記第２走査手段は上および下の一方から他方へ向かう第２特定方向に走査し、
前記第２変更手段は、前記チルティング動作の方向が前記第２特定方向と一致するとき前記倍率を拡大し、前記チルティング動作の方向が前記第２特定方向と相違するとき前記倍率を縮小する、請求項６または７記載の電子カメラ。
【発明の詳細な説明】
【技術分野】
【０００１】
この発明は、電子カメラに関し、特にたとえばＣＭＯＳイメージセンサを用いたディジタルカメラに適用され、撮像面で生成された電荷に基づいて被写界像を再現する、電子カメラに関する。
【背景技術】
【０００２】
従来のこの種の電子カメラの一例が、特許文献１に開示されている。この従来技術によれば、入射光量が少ないときは、まずノイズ信号が読み出され、次にフォトダイオードで生成された光変換信号が読み出される。このような読み出し動作は、１行ずつ順次実行される。さらに、後続する行のフォトダイオードへの光の入射時間が先行する行のフォトダイオードへの光の入射時間よりも長く事態を回避するために、メカニカルシャッタが併用される。
【０００３】
一方、入射光量が多いときは、光変換信号およびノイズ信号の読み出し順序が逆にされる。まず、メカニカルシャッタが全開になってから全画素内の増幅ＭＯＳのゲートが同時にリセットされ、全てのフォトダイオードで生成された光変換信号が増幅ＭＯＳのゲートに同時に転送される。これによって、メカニカルシャッタの走行速度に関係なく、全画素の光変換信号が増幅ＭＯＳのゲートに同時に保持される。光変換信号が読み出されると、増幅ＭＯＳのゲートが再度リセットされ、その後にノイズ信号が読み出される。
【０００４】
上述のいずれの読み出し動作を行う場合でも、光変換信号に含まれるノイズは、光変換信号からノイズ信号を減算することで除去される。ここで、増幅ＭＯＳの閾値のばらつきは増幅ＭＯＳのゲートのリセットに依存しないため、このばらつきに起因するノイズは、読み出し順序に関係なく、上述の減算処理によって正確に除去される。
【０００５】
これに対して、増幅ＭＯＳのリセットに起因するノイズは、光変換信号の読み出しとノイズ信号の読み出しとの間でリセットが行われることから、上述の減算処理で除去することができない。ただし、リセットの起因するノイズは閾値のばらつきに起因するノイズに比べて十分小さいため、入射光量が多いときは、リセットノイズを無視することかできる。
【特許文献１】特開２００２−３２０１４１号公報［H04N 5/335, 5/235, H01L 27/146］
【発明の開示】
【発明が解決しようとする課題】
【０００６】
従来技術では、入射光量が多いときに、全画素の光変換信号が一括して増幅ＭＯＳに転送される。これによって、高速で動く被写体を撮影したときに被写体像に歪みが発生する現象が抑えられる。しかし、入射光量が小さいときは、フォトダイオードで生成された光変換信号が１行ずつ読み出される。このため、暗い場所で高速で動く被写体を撮影すると、被写界像の上下または左右に歪みが生じてしまう。
【０００７】
それゆえに、この発明の主たる目的は、パンニング動作の途中で撮影された被写界像の歪みを入射光量に関係なく抑制することができる、電子カメラを提供することである。
【課題を解決するための手段】
【０００８】
請求項１の発明に従う電子カメラ(10)は、垂直方向および水平方向に広がる複数の受光素子(PD)が配列された撮像面(14i)を有する撮像手段(14)、複数の受光素子によって生成された電荷を読み出すべく撮像面を既定数の垂直列ずつ水平方向に走査する第１走査手段(S1, S27)、撮像手段から出力された電荷に基づいて被写界像を作成する作成手段(18, 24)、およびパンニング動作が行われたとき作成手段によって作成された被写界像の水平方向における倍率を変更する第１変更手段(26a)を備える。
【０００９】
撮像手段の撮像面には、垂直方向および水平方向に広がる複数の受光素子が配列される。第１走査手段は、複数の受光素子によって生成された電荷を読み出すべく、撮像面を既定数の垂直列ずつ水平方向に走査する。被写界像は、撮像手段から出力された電荷に基づいて、作成手段によって作成される。作成手段によって作成された被写界像の水平方向における倍率は、パンニング動作が行われたとき、第１変更手段によって変更される。
【００１０】
撮像面を既定数の垂直列ずつ水平方向に走査することで、同じ垂直列の上端および下端の間での走査タイミングのずれが大幅に減少する一方、同じ水平行の左端および右端の間での走査タイミングのずれが大幅に増大する。水平方向における走査タイミングのずれの増大は、パンニング動作が行われたときに被写界に存在する物体の水平サイズが拡大／縮小される現象を引き起こす。
【００１１】
そこで、請求項１の発明では、パンニング動作が行われたときに被写界像の水平方向における倍率を変更するようにしている。これによって、パンニング動作の途中で撮影された被写界像の歪みが抑制される。
【００１２】
請求項２の発明に従う電子カメラは、請求項１に従属し、作成手段によって作成される被写界像は撮像面によって捉えられた被写界の一部に対応する画像であり、作成手段によって作成される被写界像の水平サイズを第１変更手段によって変更された倍率に対応するサイズに設定する設定手段(S37)をさらに備える。これによって、倍率が変更された被写界像の水平サイズを既定サイズに合わせることができる。
【００１３】
請求項３の発明に従う電子カメラは、請求項２に従属し、設定手段によって設定されるサイズは第１変更手段によって変更された倍率が大きいほど小さい。
【００１４】
請求項４の発明に従う電子カメラは、パンニング動作の速度を検出する第１検出手段(S29)、および第１変更手段によって変更される倍率を第１検出手段によって検出された速度に基づいて算出する第１算出手段(S33, S35)をさらに備える。これによって、被写界像の水平方向における歪みを正確に補正することができる。
【００１５】
請求項５の発明に従う電子カメラは、請求項１ないし４のいずれかに従属し、第１走査手段は右および左の一方から他方へ向かう第１特定方向に走査し、第１変更手段は、パンニング動作の方向が第１特定方向と一致するとき倍率を拡大し、パンニング動作の方向が第１特定方向と相違するとき倍率を縮小する。これによって、水平方向における歪み補正が的確に実現される。
【００１６】
請求項６の発明に従う電子カメラは、請求項１ないし５のいずれかに従属し、撮像面を既定数の水平行ずつ垂直方向に走査する第２走査手段(S13)、チルティング動作が行われたとき第１走査手段に代えて第２走査手段を起動する起動手段(S7)、および第２走査手段の走査処理に関連して作成手段によって作成される被写界像の垂直方向における倍率を変更する第２変更手段(26b)をさらに備える。
【００１７】
撮像面を既定数の水平行ずつ垂直方向に走査することで、同じ水平行の左端および右端の間での走査タイミングのずれが大幅に減少する一方、同じ垂直列の上端および下端の間での走査タイミングのずれが大幅に増大する。垂直方向における走査タイミングのずれの増大は、チルティング動作が行われたときに被写界に存在する物体の垂直サイズが拡大／縮小される現象を引き起こす。
【００１８】
そこで、請求項６の発明では、チルティング動作が行われたときに被写界像の垂直方向における倍率を変更するようにしている。これによって、チルティング動作の途中で撮影された被写界像の歪みが抑制される。
【００１９】
請求項７の発明に従う電子カメラは、請求項６に従属し、チルティング動作の速度を検出する第２検出手段(S15)、および第２変更手段によって変更される倍率を第２検出手段によって検出された速度に基づいて算出する第２算出手段(S19, S21)をさらに備える。これによって、被写界像の数直方向における歪みを正確に補正することができる。
【００２０】
請求項８の発明に従う電子カメラは、請求項６または７に従属し、第２走査手段は上および下の一方から他方へ向かう第２特定方向に走査し、第２変更手段は、チルティング動作の方向が第２特定方向と一致するとき倍率を拡大し、チルティング動作の方向が第２特定方向と相違するとき倍率を縮小する。これによって、垂直方向における歪み補正が的確に実現される。
【発明の効果】
【００２１】
この発明によれば、撮像面を既定数の垂直列ずつ水平方向に走査するとともに、パンニング動作が行われたときに水平方向の倍率変更処理を実行することによって、パンニング動作の途中で撮影された被写界像の歪みを入射光量に関係なく抑制することができる。
【００２２】
この発明の上述の目的，その他の目的，特徴および利点は、図面を参照して行う以下の実施例の詳細な説明から一層明らかとなろう。
【発明を実施するための最良の形態】
【００２３】
図１を参照して、この実施例の電子カメラ１０は、光学レンズ１２を含む。被写界の光学像は、光学レンズ１２を介してＣＭＯＳイメージセンサ１４の撮像面１４ｉ（図２参照）に照射される。図２に示すように、水平方向および垂直方向に広がる複数の受光素子ＰＤ，ＰＤ，…が、撮像面１４ｉに配列される。撮像面１４ｉは、図３に示す色フィルタ１４ｆによって覆われる。
【００２４】
色フィルタ１４ｆを形成するフィルタ要素はＲ(Red)，Ｇ(Green)またはＢ(Blue) の色を有し、１つのフィルタ要素が１つの受光素子ＰＤに対応する。したがって、各々の受光素子ＰＤで生成される電荷量は、Ｒ，ＧまたはＢの光量を反映する。複数の受光素子ＰＤ，ＰＤ，…で生成された電荷は、垂直走査回路１４ｖおよび水平走査回路１４ｈの走査態様に従う順序でＣＭＯＳイメージセンサ１４から出力される。
【００２５】
電源が投入された当初、ＣＰＵ３８は、ＴＧ１６，信号処理回路１８，メモリ制御回路２０およびセレクタ２８に設定される処理態様を“Ｖ−Ｈ走査”に設定し、水平ズーム倍率Ｈｚｏｏｍおよび垂直ズーム倍率Ｖｚｏｏｍの各々を“１．０”に設定し、そして水平切出サイズＨｃｕｔおよび垂直切出サイズＶｃｕｔをそれぞれ“Ｈｓ”および“Ｖｓ”に設定する。
【００２６】
ここで、水平ズーム倍率Ｈｚｏｏｍは水平ズーム回路２６ａに設定されるズーム倍率であり、垂直ズーム倍率Ｖｚｏｏｍは垂直ズーム回路２６ａに設定されるズーム倍率である。また、水平切出サイズＨｃｕｔおよび垂直切出サイズＶｃｕｔはそれぞれ、切り出し回路２４によって切り出されるエリアの水平サイズおよび垂直サイズを示す。
【００２７】
ＣＰＵ３８はまた、チルティング動作が発生したとき、処理態様を“Ｈ−Ｖ走査”に切り換え、チルティング速度ＴＳに基づいて垂直ズーム倍率Ｖｚｏｏｍおよび垂直切出サイズＶｃｕｔを更新する。垂直ズーム倍率Ｖｚｏｏｍは、チルティング動作が下から上に向かうとき数１に従って算出され、チルティング動作が上から下に向かうとき数２に従って算出される。また、垂直切出サイズＶｃｕｔは、数３に従って算出される。
［数１］
Ｖｚｏｏｍ＝１／（ＴＳ＊Ｋ）
Ｋ：定数
［数２］
Ｖｚｏｏｍ＝ＴＳ＊Ｋ
［数３］
Ｖｃｕｔ＝Ｖｓ／Ｖｚｏｏｍ
ＣＰＵ３８はさらに、パンニング動作が発生したとき、処理態様を“Ｖ−Ｈ走査”に戻し、パンニング速度ＰＳに基づいて水平ズーム倍率Ｈｚｏｏｍおよび水平切出サイズＨｃｕｔを更新する。水平ズーム倍率Ｈｚｏｏｍは、パンニング動作が右から左に向かうとき数４に従って算出され、パンニング動作が左から右に向かうとき数５に従って算出される。また、水平切出サイズＨｃｕｔは、数６に従って算出される。
［数４］
Ｈｚｏｏｍ＝１／（ＰＳ＊Ｋ）
［数５］
Ｈｚｏｏｍ＝ＰＳ＊Ｋ
［数６］
Ｈｃｕｔ＝Ｈｓ／Ｈｚｏｏｍ
パンニング動作およびチルティング動作のいずれも中断されたとき、ＣＰＵ３８は、設定を初期状態に戻す。なお、チルティング動作の速度および方向は、加速度センサ４２ａの出力に基づいて検出される。また、パンニング動作の速度および方向は、加速度センサ４２ｂの出力に基づいて検出される。
【００２８】
ＴＧ１６は、設定された処理態様に対応するタイミング信号を、垂直同期信号Ｖｓｙｎｃは発生する毎に垂直走査回路１４ｖおよび水平走査回路１４ｈに与える。“Ｈ−Ｖ走査”が設定されたとき、垂直走査回路１４ｖおよび水平走査回路１４ｈは、撮像面１４ｉに配列された複数の受光素子ＰＤ，ＰＤ，…を１水平行ずつ垂直方向に走査する。“Ｖ−Ｈ走査”が設定されたとき、垂直走査回路１４ｖおよび水平走査回路１４ｈは、撮像面１４ｉに配列された複数の受光素子ＰＤ，ＰＤ，…を１垂直列ずつ水平方向に走査する。
【００２９】
つまり、図４（Ａ）に示すチルティング動作が行われたとき、撮像面１４ｉは図４（Ｂ）に示す要領で走査される。また、初期状態あるいは図５（Ａ）に示すパンニング動作が行われたとき、撮像面１４ｉは図５（Ｂ）に示す要領で走査される。垂直同期信号Ｖｓｙｎｃは１／３０秒毎に発生し、上述の走査によってＣＭＯＳイメージセンサ１４から出力された電荷によって形成される生画像信号は、３０ｆｐｓのフレームレートを有する。
【００３０】
なお、初期状態においてＶ−Ｈ走査を行うのは、チルティング動作よりも頻繁に発生し易いパンニング動作に備えるためである。
【００３１】
信号処理回路１８は、ＣＭＯＳイメージセンサ１４から出力された各フレームの生画像信号にＡ／Ｄ変換，色分離，白バランス調整，ＹＵＶ変換などの一連の処理を施す。被写界像を形成する各々の画素の処理態様は、ＣＰＵ３８の設定に応じて異なる。ＹＵＶ形式の画像データは、“Ｈ−Ｖ走査”または“Ｖ−Ｈ走査”に従う順序で１／３０秒毎に信号処理回路１８から出力され、バスＢ１を介してメモリ制御回路２０に与えられる。
【００３２】
メモリ制御回路２０は、信号処理回路１８から与えられた各フレームの画像データを、ＣＰＵ３８によって設定された処理態様でＳＤＲＡＭ２２に書き込む。この結果、ＳＤＲＡＭ２２に格納された画像データは、“Ｈ−Ｖ走査”および“Ｖ−Ｈ走査”の間で共通する配列を有することとなる。メモリ制御回路２０は、ＳＤＲＡＭ２２に格納された画像データを１／３０秒毎に読み出す。このとき、画像データによって表現される被写界像は、１水平行ずつ垂直方向に走査される。メモリ制御回路２０によって読み出された画像データは、バスＢ１を介して切り出し回路２４に与えられる。
【００３３】
切り出し回路２４は、上述の水平切出サイズＨｃｕｔおよび垂直切出サイズＶｃｕｔを有する切り出しエリアを、バスＢ１から入力された画像データによって表現される被写界像上に割り当てる。
【００３４】
下から上へ向かうチルティング動作が発生したとき、切り出しエリアは図４（Ｃ）に示す要領で被写界像上に割り当てられ、上から下へ向かうチルティング動作が発生したとき、切り出しエリアは図４（Ｄ）に示す要領で被写界像上に割り当てられる。
【００３５】
また、右から左へ向かうパンニング動作が発生したとき、切り出しエリアは図５（Ｃ）に示す要領で被写界像上に割り当てられ、左から右へ向かうパンニング動作が発生したとき、切り出しエリアは図５（Ｄ）に示す要領で被写界像上に割り当てられる。
【００３６】
切り出し回路２４は、こうして割り当てられた切り出しエリアに属する一部の画像データを水平ズーム回路２６ａおよび垂直ズーム回路２６ｂに向けて出力する。水平ズーム回路２６ａは、与えられた画像データに水平ズーム倍率Ｈｚｏｏｍに従うズーム処理を実行し、ズームされた画像データをセレクタ２８に与える。垂直ズーム回路２６ｂも同様に、与えられた画像データに垂直ズーム倍率Ｖｚｏｏｍに従うズーム処理を実行し、ズームされた画像データをセレクタ２８に与える。
【００３７】
セレクタ２８は、“Ｈ−Ｖ走査”が設定されたとき垂直ズーム回路２６ｂからの画像データを選択し、“Ｖ−Ｈ走査”が設定されたとき水平ズーム回路２６ａからの画像データを選択する。選択された画像データは、図４（Ｅ）または図５（Ｅ）に示すように、水平サイズ“Ｈｓ”および垂直サイズ“Ｖｓ”を有する。
【００３８】
選択された画像データは、ビデオエンコーダ３０によるエンコード処理を経てＬＣＤモニタ３２から出力される。モニタ画面には、被写界を現すリアルタイム動画像が表示される。
【００３９】
キー入力装置４０によって記録操作が行われると、ＣＰＵ３８は、記録処理回路３４を起動する。セレクタ２８から出力された画像データは、記録処理回路３４によって記録媒体３６に記録される。
【００４０】
ＣＰＵ３８は、図６〜図８に示すフロー図に従う撮影タスクを含む複数のタスクを実行する。なお、これらのタスクに対応する制御プログラムは、フラッシュメモリ４４に記憶される。
【００４１】
まずステップＳ１で初期化処理を行う。ＴＧ１６，信号処理回路１８，メモリ制御回路２０およびセレクタ２８の処理態様は、“Ｖ−Ｈ走査”に設定される。また、水平ズーム倍率Ｈｚｏｏｍおよび垂直ズーム倍率Ｖｚｏｏｍの各々は“１．０”に設定され、水平切出サイズＨｃｕｔおよび垂直切出サイズＶｃｕｔはそれぞれ“Ｈｓ”および“Ｖｓ”に設定される。
【００４２】
ステップＳ３では、垂直同期信号Ｖｓｙｎｃが発生したか否かを判別する。ここでＹＥＳであれば、ステップＳ５で加速度センサ４２ａおよび４２ｂの出力を取り込む。ステップＳ７ではチルティング動作が発生したか否かを加速度センサ４２ａの出力に基づいて判別し、ステップＳ９ではパンニング動作が発生したか否かを加速度センサ４２ｂの出力に基づいて判別する。ステップＳ７でＹＥＳであればステップＳ１１に進み、ステップＳ９でＹＥＳであればステップＳ２５に進み、ステップＳ７およびＳ９のいずれもＮＯであればステップＳ１に戻る。
【００４３】
ステップＳ１１では現時点の処理態様が“Ｈ−Ｖ走査”であるか否かを判別し、ＹＥＳであれば直接ステップＳ１５に進む一方、ＮＯであればステップＳ１３で処理態様を“Ｈ−Ｖ走査”に変更してからステップＳ１５に進む。ステップＳ１５では加速度センサ４２ａの出力に基づいてチルティング速度ＴＳを算出し、ステップＳ１７ではチルティング動作の方向が下から上であるか否かを加速度センサ４２ａの出力に基づいて判別する。
【００４４】
チルティング動作の方向が下から上であればステップＳ１７からステップＳ１９に進み、数１に従って垂直ズーム倍率Ｖｚｏｏｍを算出する。チルティング動作の方向が上から下であればステップＳ１７からステップＳ２１に進み、数２に従って垂直ズーム倍率Ｖｚｏｏｍを算出する。垂直ズーム倍率Ｖｚｏｏｍが求められるとステップＳ２３に進み、垂直切出サイズＶｃｕｔを数３に従って変更する。変更処理が完了すると、ステップＳ３に戻る。
【００４５】
ステップＳ２５では現時点の処理態様が“Ｖ−Ｈ走査”であるか否かを判別し、ＹＥＳであれば直接ステップＳ２９に進む一方、ＮＯであればステップＳ２７で処理態様を“Ｖ−Ｈ走査”に変更してからステップＳ２９に進む。ステップＳ２９では加速度センサ４２ｂの出力に基づいてパンニング速度ＰＳを算出し、ステップＳ３１ではパンニング動作の方向が右から左であるか否かを加速度センサ４２ｂの出力に基づいて判別する。
【００４６】
パンニング動作の方向が右から左であればステップＳ３１からステップＳ３３に進み、数４に従って水平ズーム倍率Ｈｚｏｏｍを算出する。パンニング動作の方向が左から右であればステップＳ３１からステップＳ３５に進み、数５に従って水平ズーム倍率Ｈｚｏｏｍを算出する。水平ズーム倍率Ｈｚｏｏｍが求められるとステップＳ３７に進み、水平切出サイズＨｃｕｔを数６に従って変更する。変更処理が完了すると、ステップＳ３に戻る。
【００４７】
以上の説明から分かるように、ＣＭＯＳイメージセンサ１４の撮像面１４ｉには、垂直方向および水平方向に広がる複数の受光素子ＰＤ，ＰＤ，…が配列される。初期状態では、垂直走査回路１４ｖおよび水平走査回路１４ｈは、撮像面１４ｉを既定数（＝１）の垂直列ずつ水平方向に走査する。複数の受光素子ＰＤによって生成された電荷は、かかる走査によって読み出される。被写界像は、ＣＭＯＳイメージセンサ１４から出力された電荷に基づいて、信号処理回路１８および切り出し回路２４によって作成される。作成された被写界像の水平方向における倍率は、パンニング動作が行われたとき、水平ズーム回路２６ａによって変更される。
【００４８】
撮像面１４ｉを既定数の垂直列ずつ水平方向に走査することで、同じ垂直列の上端および下端の間での走査タイミングのずれが大幅に減少する一方、同じ水平行の左端および右端の間での走査タイミングのずれが大幅に増大する。水平方向における走査タイミングのずれの増大は、パンニング動作が行われたときに被写界に存在する物体の水平サイズが拡大／縮小される現象を引き起こす。
【００４９】
そこで、この実施例では、パンニング動作が行われたときに被写界像の水平方向における倍率を変更するようにしている。これによって、パンニング動作の途中で撮影された被写界像の歪みが抑制される。
【００５０】
なお、この実施例では、“Ｈ−Ｖ走査”が設定されたとき、各々の水平行は上から下に走査されるが、これに代えて各々の水平行を下から上に走査するようにしてもよい。同様に、この実施例では、“Ｖ−Ｈ走査”が設定されたとき、各々の垂直列は左から右に走査されるが、これに代えて各々の垂直列を右から左に走査するようにしてもよい。
【００５１】
また、この実施例では、パンニング動作またはチルティング動作の発生に応答して走査態様やズーム倍を変更するようにしているが、パンニング動作またはチルティング動作は手振れによよっても発生する。したがって、走査態様やズーム倍率は、手振れの態様によって変更されるとも言える。
【図面の簡単な説明】
【００５２】
【図１】この発明の一実施例の構成を示すブロック図である。
【図２】図１実施例に適用されるＣＭＯＳイメージセンサの構成の一例を示すブロック図である。
【図３】図２実施例の撮像面を覆う色フィルタの構成の一例を示す図解図である。
【図４】（Ａ）は撮影シーンの他の一例を示す図解図であり、（Ｂ）は撮像面の走査態様の他の一例を示す図解図であり、（Ｃ）は下から上へのチルティング動作を行ったときに生成される被写界像の一例を示す図解図であり、（Ｄ）は上から下へのチルティング動作を行ったときに生成される被写界像の一例を示す図解図であり、（Ｅ）は表示画像の他の一例を示す図解図である。
【図５】（Ａ）は撮影シーンの一例を示す図解図であり、（Ｂ）は撮像面の走査態様の一例を示す図解図であり、（Ｃ）は右から左へのパンニング動作を行ったときに生成される被写界像の一例を示す図解図であり、（Ｄ）は左から右へのパンニング動作を行ったときに生成される被写界像の一例を示す図解図であり、（Ｅ）は表示画像の一例を示す図解図である。
【図６】図１実施例に適用されるＣＰＵの動作の一部を示すフロー図である。
【図７】図１実施例に適用されるＣＰＵの動作の他の一部を示すフロー図である。
【図８】図１実施例に適用されるＣＰＵの動作のその他の一部を示すフロー図である。
【符号の説明】
【００５３】
１０  …電子カメラ
１４  …ＣＭＯＳイメージセンサ
１８  …信号処理回路
２４  …切り出し回路
２６ａ  …水平ズーム回路
２６ｂ  …垂直ズーム回路
３２  …ＬＣＤモニタ
３８  …ＣＰＵ
４２ａ，４２ｂ  …加速度センサ
【図１】
2007020045.tif 000003
【図２】
2007020045.tif 000004
【図３】
2007020045.tif 000005
【図４】
2007020045.tif 000006
【図５】
2007020045.tif 000007
【図６】
2007020045.tif 000008
【図７】
2007020045.tif 000009
【図８】
2007020045.tif 000010